(57)【要約】  共有通信媒体へのアクセスを管理するための技法を開示する。スケジューリング許可は、通信媒体上でのアップリンク送信のためのリソースの異なるセットについて異なるアクセス端末に送られ得る。一連の再競合ギャップは、リソースの異なるセット内にまたはそれらの間にアクセス端末競合のためにスケジュールされ得る。通信媒体上でのアップリンクおよびダウンリンク送信は、一連の再競合ギャップの各々中に無音化され得る。さらに、アクセス端末は、通信媒体上でのアップリンク送信のためのアクセス端末にリソースのセットを割り振るスケジューリング許可を受信し、スケジューリング許可に基づいて通信媒体へのアクセスを求めて競合し得る。アクセス端末は、次いで、競合することに基づいてリソースの割り振られたセットを介してアップリンクトラフィックを選択的に送信し得る。
2018529286.tif 000002
【特許請求の範囲】
【請求項１】
通信媒体上でのアップリンク送信のためのリソースの第１のセットのために第１のアクセス端末に第１のスケジューリング許可を送ることと、
前記通信媒体上でのアップリンク送信のためのリソースの第２のセットのために第２のアクセス端末に第２のスケジューリング許可を送ることと、
リソースの前記第１のセットおよびリソースの前記第２のセット内に、またはリソースの前記第１のセットとリソースの前記第２のセットの間にアクセス端末競合のための一連の再競合ギャップをスケジュールすることと、ここにおいて、前記再競合ギャップの対応するスケジュールが、前記第１のスケジューリング許可または前記第２のスケジューリング許可のうちの少なくとも１つ中に含まれる、
前記一連の再競合ギャップの各々中に前記通信媒体上でのアップリンクおよびダウンリンク送信を無音化することと
を備える、通信方法。
【請求項２】
前記無音化することが、アップリンクサブフレームの１つまたは複数のシンボル期間をミュートすることを備える、請求項１に記載の方法。
【請求項３】
前記無音化することが、
アップリンクサブフレームの１つまたは複数のシンボル期間中にサウンディング基準信号（ＳＲＳ）ギャップを広告することと、
前記１つまたは複数のシンボル期間中にＳＲＳ送信のためのアクセス端末を構成しないことと
を備える、請求項１に記載の方法。
【請求項４】
リソースの前記第１のセットとリソースの前記第２のセットとが、それぞれのシンボル期間中に時分割多重化される、ここにおいて、前記再競合ギャップが、リソースの前記第１のセットに関連する１つまたは複数のシンボル期間とリソースの前記第２のセットに関連する１つまたは複数のシンボル期間との間に発生するようにスケジュールされる、請求項１に記載の方法。
【請求項５】
リソースの前記第１のセットとリソースの前記第２のセットとが、１つまたは複数の共通シンボル期間中に周波数分割多重化される、ここにおいて、前記再競合ギャップが、リソースの前記第１のセットとリソースの前記第２のセットとに関連する前記１つまたは複数の共通シンボル期間内に発生するようにスケジュールされる、請求項１に記載の方法。
【請求項６】
リソースの前記第１のセットとリソースの前記第２のセットとが、時間および周波数において重複している、前記方法は、前記一連の再競合ギャップのうちの少なくとも１つ中に前記通信媒体へのアクセスを求めて競合することに関して前記第２のアクセス端末よりも前記第１のアクセス端末を優先させることをさらに備える、請求項１に記載の方法。
【請求項７】
前記優先させることが、
前記第１のアクセス端末に１つまたは複数の競合パラメータの第１のセットを送ることと、
前記第２のアクセス端末に１つまたは複数の競合パラメータの第２のセットを送ることと、ここにおいて、１つまたは複数の競合パラメータの前記第１のセットが、ランダム選択競合窓サイズのために１つまたは複数の競合パラメータの前記第２のセットよりも小さい変数空間を定義する、
を備える、請求項６に記載の方法。
【請求項８】
前記優先させることが、
１つまたは複数の競合パラメータの第１のセットに従って前記第１のアクセス端末のための第１のランダム選択競合窓サイズを決定することと、
１つまたは複数の競合パラメータの第２のセットに従って前記第２のアクセス端末のための第２のランダム選択競合窓サイズを決定することと、ここにおいて、１つまたは複数の競合パラメータの前記第１のセットが、ランダム選択競合窓サイズのために１つまたは複数の競合パラメータの前記第２のセットよりも小さい変数空間を定義する、
前記第１のアクセス端末および前記第２のアクセス端末に、それぞれ、前記第１の競合窓サイズおよび前記第２の競合窓サイズを送ることと
を備える、請求項６に記載の方法。
【請求項９】
通信媒体上でのアップリンク送信のためのリソースの第１のセットのために第１のアクセス端末に第１のスケジューリング許可を送ることと、前記通信媒体上でのアップリンク送信のためのリソースの第２のセットのために第２のアクセス端末に第２のスケジューリング許可を送ることとを行うように構成された少なくとも１つのトランシーバと、
少なくとも１つのプロセッサと、
前記少なくとも１つのプロセッサに結合された少なくとも１つのメモリとを備え、前記少なくとも１つのプロセッサと前記少なくとも１つのメモリとが、
リソースの前記第１のセットおよびリソースの前記第２のセット内に、またはリソースの前記第１のセットとリソースの前記第２のセットの間にアクセス端末競合のための一連の再競合ギャップをスケジュールすることと、ここにおいて、前記再競合ギャップの対応するスケジュールが、前記第１のスケジューリング許可または前記第２のスケジューリング許可のうちの少なくとも１つ中に含まれる、
前記一連の再競合ギャップの各々中に前記通信媒体上でのアップリンクおよびダウンリンク送信を無音化することと
を行うように構成された、通信装置。
【請求項１０】
前記少なくとも１つのプロセッサと前記少なくとも１つのメモリとが、アップリンクサブフレームの１つまたは複数のシンボル期間をミュートすることによってアップリンクおよびダウンリンク送信を無音化するように構成された、請求項９に記載の装置。
【請求項１１】
前記少なくとも１つのプロセッサと前記少なくとも１つのメモリとが、
アップリンクサブフレームの１つまたは複数のシンボル期間中にサウンディング基準信号（ＳＲＳ）ギャップを広告することと、
前記１つまたは複数のシンボル期間中にＳＲＳ送信のためのアクセス端末を構成しないことと
を行うことによってアップリンクおよびダウンリンク送信を無音化するように構成された、請求項９に記載の装置。
【請求項１２】
リソースの前記第１のセットとリソースの前記第２のセットとが時分割多重化される、ここにおいて、前記少なくとも１つのプロセッサと前記少なくとも１つのメモリとが、リソースの前記第１のセットとリソースの前記第２のセットとの間に発生するように前記再競合ギャップをスケジュールするように構成された、請求項９に記載の装置。
【請求項１３】
リソースの前記第１のセットとリソースの前記第２のセットとが周波数分割多重化される、ここにおいて、前記少なくとも１つのプロセッサと前記少なくとも１つのメモリとが、リソースの前記第１のセットおよびリソースの前記第２のセット内に発生するように前記再競合ギャップをスケジュールするように構成された、請求項９に記載の装置。
【請求項１４】
リソースの前記第１のセットとリソースの前記第２のセットとが、時間および周波数において重複している、ここにおいて、前記少なくとも１つのプロセッサと前記少なくとも１つのメモリとが、前記一連の再競合ギャップのうちの少なくとも１つ中に前記通信媒体へのアクセスを求めて競合することに関して前記第２のアクセス端末よりも前記第１のアクセス端末を優先させるようにさらに構成された、請求項９に記載の装置。
【請求項１５】
前記少なくとも１つのプロセッサと前記少なくとも１つのメモリとが、
前記第１のアクセス端末に１つまたは複数の競合パラメータの第１のセットを送ることと、
前記第２のアクセス端末に１つまたは複数の競合パラメータの第２のセットを送ることと、ここにおいて、１つまたは複数の競合パラメータの前記第１のセットが、ランダム選択競合窓サイズのために１つまたは複数の競合パラメータの前記第２のセットよりも小さい変数空間を定義する、
を行うことによって前記第１のアクセス端末を優先させるように構成された、請求項１４に記載の装置。
【請求項１６】
アクセスポイントからアクセス端末において、通信媒体上でのアップリンク送信のために前記アクセス端末にリソースのセットを割り振るスケジューリング許可を受信することと、
前記アクセス端末によって、前記スケジューリング許可に基づいて前記通信媒体へのアクセスを求めて競合することと、
前記アクセス端末から前記アクセスポイントに、前記競合することに基づいてリソースの前記割り振られたセットを介してアップリンクトラフィックを選択的に送信することと
を備える、通信方法。
【請求項１７】
前記スケジューリング許可が、複数の送信機会（ＴＸＯＰ）にわたって前記アクセス端末に次回の時間および周波数リソースを割り振る、請求項１６に記載の方法。
【請求項１８】
前記スケジューリング許可が、変調およびコーディング方式の指示をさらに含む、請求項１７に記載の方法。
【請求項１９】
前記スケジューリング許可が、リソースの前記割り振られたセットに関連する満了期間を含む、請求項１６に記載の方法。
【請求項２０】
前記アクセスポイントから前記アクセス端末において、前記通信媒体上でのアップリンク送信のために前記アクセス端末にリソースのオーバーライドセットを割り振る第２のスケジューリング許可を受信することと
をさらに備える、請求項１６に記載の方法。
【請求項２１】
前記第２のスケジューリング許可が、前記第１のスケジューリング許可の満了の前に受信される、請求項２０に記載の方法。
【請求項２２】
前記選択的に送信することが、
前記競合することが成功したことに応答してリソースの前記割り振られたセットを介して前記アップリンクトラフィックを送信することと、
前記競合することが失敗したことに応答してリソースの前記割り振られたセットを介して前記アップリンクトラフィックを送信するのを控えることと
を備える、請求項１６に記載の方法。
【請求項２３】
前記競合することが、
リソースの前記割り振られたセットの第１のインスタンスのために前記通信媒体へのアクセスを求めて競合することと、
リソースの前記割り振られたセットの第２のインスタンスのために前記通信媒体へのアクセスを求めて再競合することと
を備える、請求項１６に記載の方法。
【請求項２４】
アクセスポイントからアクセス端末において、通信媒体上でのアップリンク送信のために前記アクセス端末にリソースのセットを割り振るスケジューリング許可を受信するように構成された少なくとも１つのトランシーバと、
少なくとも１つのプロセッサと、
前記少なくとも１つのプロセッサに結合された少なくとも１つのメモリとを備え、前記少なくとも１つのプロセッサと前記少なくとも１つのメモリとが、前記アクセス端末によって、前記スケジューリング許可に基づいて前記通信媒体へのアクセスを求めて競合することを行うように構成され、
ここにおいて、前記少なくとも１つのトランシーバが、前記アクセス端末から前記アクセスポイントに、前記競合することに基づいてリソースの前記割り振られたセットを介してアップリンクトラフィックを選択的に送信するようにさらに構成された、通信装置。
【請求項２５】
前記スケジューリング許可が、複数の送信機会（ＴＸＯＰ）にわたって前記アクセス端末に次回の時間および周波数リソースを割り振る、請求項２４に記載の装置。
【請求項２６】
前記スケジューリング許可が、変調およびコーディング方式の指示をさらに含む、請求項２５に記載の装置。
【請求項２７】
前記スケジューリング許可が、リソースの前記割り振られたセットに関連する満了期間を含む、請求項２４に記載の装置。
【請求項２８】
前記少なくとも１つのトランシーバが、前記アクセスポイントから前記アクセス端末において、前記通信媒体上でのアップリンク送信のために前記アクセス端末にリソースのオーバーライドセットを割り振る第２のスケジューリング許可を受信するようにさらに構成された、請求項２４に記載の装置。
【請求項２９】
前記少なくとも１つのトランシーバが、前記第１のスケジューリング許可の満了の前に前記第２のスケジューリング許可を受信するようにさらに構成された、請求項２８に記載の装置。
【請求項３０】
前記少なくとも１つのプロセッサと前記少なくとも１つのメモリとが、
リソースの前記割り振られたセットの第１のインスタンスのために前記通信媒体へのアクセスを求めて競合することと、
リソースの前記割り振られたセットの第２のインスタンスのために前記通信媒体へのアクセスを求めて再競合することと
を行うようにさらに構成された、請求項２４に記載の装置。
【発明の詳細な説明】
【技術分野】
【０００１】
関連出願の相互参照
[0001]本出願は、各々が本出願の譲受人に譲渡され、その全体が参照により本明細書に明確に組み込まれる、２０１５年８月３１日に出願された「Ｉｎｔｅｒ−Ａｃｃｅｓｓ  Ｔｅｒｍｉｎａｌ  Ｕｎｂｌｏｃｋｉｎｇ  ｆｏｒ  Ｃｏ−Ｅｘｉｓｔｅｎｃｅ  ｏｎ  ａ  Ｓｈａｒｅｄ  Ｃｏｍｍｕｎｉｃａｔｉｏｎ  Ｍｅｄｉｕｍ」と題する米国仮出願第６２／２１２，０９６号、および２０１５年８月３１日に出願された「Ｅｎｈａｎｃｅｄ  Ｃｏｎｔｅｎｔｉｏｎ  Ｍｏｄｅｓ  ｆｏｒ  Ｃｏ−Ｅｘｉｓｔｅｎｃｅ  ｏｎ  ａ  Ｓｈａｒｅｄ  Ｃｏｍｍｕｎｉｃａｔｉｏｎ  Ｍｅｄｉｕｍ」と題する米国仮出願第６２／２１２，３４４号の利益を主張する。
【０００２】
[0002]本開示の態様は、一般に、電気通信（telecommunications）に関し、より詳細には、共有通信媒体などにおける動作に関する。
【背景技術】
【０００３】
[0003]ワイヤレス通信システムは、音声、データ、マルチメディアなど、様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムである。そのような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。これらのシステムは、しばしば、第３世代パートナーシッププロジェクト（３ＧＰＰ（登録商標））によって提供されたロングタームエボリューション（ＬＴＥ（登録商標））、第３世代パートナーシッププロジェクト２（３ＧＰＰ２）によって提供されたウルトラモバイルブロードバンド（ＵＭＢ）およびエボリューションデータオプティマイズド（ＥＶ−ＤＯ）、電気電子技術者協会（ＩＥＥＥ）によって提供された８０２．１１などの仕様に準拠して展開される。
【０００４】
[0004]セルラーネットワークにおいて、「マクロセル」アクセスポイントは、ある地理的エリアにわたって多数の（a large number of）ユーザに接続性およびカバレージを提供する。マクロネットワーク展開は、地理的領域にわたって良好なカバレージを提供するために慎重に計画、設計、および実装される。住居およびオフィスビルのためなど、屋内または他の特定の地理的カバレージを改善するために、追加の「スモールセル」、典型的には、低電力アクセスポイントが従来のマクロネットワークを補うために最近展開され始めている。スモールセルアクセスポイントはまた、増分キャパシティの増大（incremental capacity growth）、よりリッチなユーザエクスペリエンスなどを提供し得る。
【０００５】
[0005]スモールセルＬＴＥ動作は、たとえば、ワイヤレスローカルエリアネットワーク（ＷＬＡＮ）技術によって使用される無認可国家情報インフラストラクチャ（Ｕ−ＮＩＩ）帯域などの無認可周波数スペクトルに拡張されている。スモールセルＬＴＥ動作のこの拡張は、ＬＴＥシステムのスペクトル効率、したがって容量を増加させるように設計されている。しかしながら、それは、同じ無認可帯域、特に（most notably）、一般に「Ｗｉ−Ｆｉ（登録商標）」と呼ばれるＩＥＥＥ  ８０２．１１ｘ  ＷＬＡＮ技術を一般に利用する他の無線アクセス技術（ＲＡＴ）の動作をも侵し（encroach on）得る。
【発明の概要】
【０００６】
[0006]以下の概要は、単に本開示の様々な態様の説明の助けとするために提供される概要であり、態様の限定ではなく、単に態様の例示のために提供されるものである。
【０００７】
[0007]一例では、通信方法が開示される。本方法は、たとえば、通信媒体上でのアップリンク送信のためのリソースの第１のセットのために第１のアクセス端末に第１のスケジューリング許可を送ることと、通信媒体上でのアップリンク送信のためのリソースの第２のセットのために第２のアクセス端末に第２のスケジューリング許可を送ることと、リソースの第１のセットおよびリソースの第２のセット内に、またはリソースの第１のセットとリソースの第２のセットの間にアクセス端末競合のための一連の再競合ギャップをスケジュールすることと、ここにおいて、再競合ギャップの対応するスケジュールは、第１のスケジューリング許可または第２のスケジューリング許可のうちの少なくとも１つ中に含まれる、一連の再競合ギャップの各々中に通信媒体上でのアップリンクおよびダウンリンク送信を無音化することとを含み得る。
【０００８】
[0008]別の例では、通信装置が開示される。本装置は、たとえば、少なくとも１つのトランシーバと、少なくとも１つのプロセッサと、少なくとも１つのプロセッサに結合された少なくとも１つのメモリとを含み得る。少なくとも１つのトランシーバは、通信媒体上でのアップリンク送信のためのリソースの第１のセットのために第１のアクセス端末に第１のスケジューリング許可を送ることと、通信媒体上でのアップリンク送信のためのリソースの第２のセットのために第２のアクセス端末に第２のスケジューリング許可を送ることとを行うように構成され得る。少なくとも１つのプロセッサと少なくとも１つのメモリとは、リソースの第１のセットおよびリソースの第２のセット内に、またはリソースの第１のセットとリソースの第２のセットの間にアクセス端末競合のための一連の再競合ギャップをスケジュールすることと、再競合ギャップの対応するスケジュールは、第１のスケジューリング許可または第２のスケジューリング許可のうちの少なくとも１つ中に含まれる、一連の再競合ギャップの各々中に通信媒体上でのアップリンクおよびダウンリンク送信を無音化することとを行うように構成され得る。
【０００９】
[0009]別の例では、別の通信装置が開示される。本装置は、たとえば、通信媒体上でのアップリンク送信のためのリソースの第１のセットのために第１のアクセス端末に第１のスケジューリング許可を送るための手段と、通信媒体上でのアップリンク送信のためのリソースの第２のセットのために第２のアクセス端末に第２のスケジューリング許可を送るための手段と、リソースの第１のセットおよびリソースの第２のセット内に、またはリソースの第１のセットとリソースの第２のセットの間にアクセス端末競合のための一連の再競合ギャップをスケジュールするための手段と、ここにおいて、再競合ギャップの対応するスケジュールは、第１のスケジューリング許可または第２のスケジューリング許可のうちの少なくとも１つ中に含まれる、一連の再競合ギャップの各々中に通信媒体上でのアップリンクおよびダウンリンク送信を無音化するための手段とを含み得る。
【００１０】
[0010]別の例では、一時的または非一時的コンピュータ可読媒体が開示される。本コンピュータ可読媒体は、たとえば、通信媒体上でのアップリンク送信のためのリソースの第１のセットのために第１のアクセス端末に第１のスケジューリング許可を送るためのコードと、通信媒体上でのアップリンク送信のためのリソースの第２のセットのために第２のアクセス端末に第２のスケジューリング許可を送るためのコードと、リソースの第１のセットおよびリソースの第２のセット内に、またはリソースの第１のセットとリソースの第２のセットの間にアクセス端末競合のための一連の再競合ギャップをスケジュールするためのコードと、ここにおいて、再競合ギャップの対応するスケジュールは、第１のスケジューリング許可または第２のスケジューリング許可のうちの少なくとも１つ中に含まれる、一連の再競合ギャップの各々中に通信媒体上でのアップリンクおよびダウンリンク送信を無音化するためのコードとを含み得る。
【００１１】
[0011]別の例では、別の通信方法が開示される。本方法は、たとえば、アクセスポイントからアクセス端末において、通信媒体上でのアップリンク送信のためにアクセス端末にリソースのセットを割り振るスケジューリング許可を受信することと、アクセス端末によって、スケジューリング許可に基づいて通信媒体へのアクセスを求めて競合することと、アクセス端末からアクセスポイントに、競合することに基づいてリソースの割り振られたセットを介してアップリンクトラフィックを選択的に送信することとを含み得る。
【００１２】
[0012]別の例では、別の通信装置が開示される。本装置は、たとえば、少なくとも１つのトランシーバと、少なくとも１つのプロセッサと、少なくとも１つのプロセッサに結合された少なくとも１つのメモリとを含み得る。少なくとも１つのトランシーバは、アクセスポイントからアクセス端末において、通信媒体上でのアップリンク送信のためにアクセス端末にリソースのセットを割り振るスケジューリング許可を受信するように構成され得る。少なくとも１つのプロセッサと少なくとも１つのメモリとは、アクセス端末によって、スケジューリング許可に基づいて通信媒体へのアクセスを求めて競合するように構成され得る。少なくとも１つのトランシーバは、アクセス端末からアクセスポイントに、競合することに基づいてリソースの割り振られたセットを介してアップリンクトラフィックを選択的に送信するようにさらに構成され得る。
【００１３】
[0013]別の例では、別の通信装置が開示される。本装置は、たとえば、アクセスポイントからアクセス端末において、通信媒体上でのアップリンク送信のためにアクセス端末にリソースのセットを割り振るスケジューリング許可を受信するための手段と、アクセス端末によって、スケジューリング許可に基づいて通信媒体へのアクセスを求めて競合するための手段と、アクセス端末からアクセスポイントに、競合することに基づいてリソースの割り振られたセットを介してアップリンクトラフィックを選択的に送信するための手段とを含み得る。
【００１４】
[0014]別の例では、一時的または非一時的コンピュータ可読媒体が開示される。本コンピュータ可読媒体は、たとえば、アクセスポイントからアクセス端末において、通信媒体上でのアップリンク送信のためにアクセス端末にリソースのセットを割り振るスケジューリング許可を受信するためのコードと、アクセス端末によって、スケジューリング許可に基づいて通信媒体へのアクセスを求めて競合するためのコードと、アクセス端末からアクセスポイントに、競合することに基づいてリソースの割り振られたセットを介してアップリンクトラフィックを選択的に送信するためのコードとを含み得る。
【００１５】
[0015]別の例では、別の通信方法が開示される。本方法は、たとえば、通信媒体上での送信のために複数のアクセス端末をスケジュールすることと、スケジュールされているアクセス端末の数に基づいて通信媒体へのアクセスを求めて競合するようにアクセスポイントのための１つまたは複数の競合パラメータを設定することと、１つまたは複数の競合パラメータに従ってアクセスポイントによって通信媒体へのアクセスを求めて競合することとを含み得る。
【００１６】
[0016]別の例では、別の通信装置が開示される。本装置は、たとえば、少なくとも１つのトランシーバと、少なくとも１つのプロセッサと、少なくとも１つのプロセッサに結合された少なくとも１つのメモリとを含み得る。少なくとも１つのプロセッサと少なくとも１つのメモリとは、通信媒体上での送信のために複数のアクセス端末をスケジュールすることと、スケジュールされているアクセス端末の数に基づいて通信媒体へのアクセスを求めて競合するようにアクセスポイントのための１つまたは複数の競合パラメータを設定することとを行うように構成され得る。少なくとも１つのトランシーバは、１つまたは複数の競合パラメータに従ってアクセスポイントによって通信媒体へのアクセスを求めて競合するように構成され得る。
【００１７】
[0017]別の例では、別の通信装置が開示される。本装置は、たとえば、通信媒体上での送信のために複数のアクセス端末をスケジュールするための手段と、スケジュールされているアクセス端末の数に基づいて通信媒体へのアクセスを求めて競合するようにアクセスポイントのための１つまたは複数の競合パラメータを設定するための手段と、１つまたは複数の競合パラメータに従ってアクセスポイントによって通信媒体へのアクセスを求めて競合するための手段とを含み得る。
【００１８】
[0018]別の例では、別の一時的または非一時的コンピュータ可読媒体が開示される。本コンピュータ可読媒体は、たとえば、通信媒体上での送信のために複数のアクセス端末をスケジュールするためのコードと、スケジュールされているアクセス端末の数に基づいて通信媒体へのアクセスを求めて競合するようにアクセスポイントのための１つまたは複数の競合パラメータを設定するためのコードと、１つまたは複数の競合パラメータに従ってアクセスポイントによって通信媒体へのアクセスを求めて競合するためのコードとを含み得る。
【００１９】
[0019]添付の図面は、本開示の様々な態様の説明において助けとなるように提示され、態様の限定ではなく、単に態様の例示のために提供されるものである。
【図面の簡単な説明】
【００２０】
【図１】[0020]例示的なワイヤレスネットワーク環境を示すシステムレベル図。
【図２】[0021]例示的な仮想時分割複信（ＴＤＤ）フレーム構造を示す図。
【図３】[0022]仮想ＴＤＤフレーム構造による例示的な非衝突許可方式を示す図。
【図４】仮想ＴＤＤフレーム構造による例示的な非衝突許可方式を示す図。
【図５】[0023]仮想ＴＤＤフレーム構造による例示的な階層衝突許可方式を示す図。
【図６】[0024]仮想ＴＤＤフレーム構造上でのアップリンク遅延のための可能性および競合プロセスの一例を示す図。
【図７】[0025]仮想ＴＤＤフレーム構造による積極的な競合の一例を示す図。
【図８】[0026]仮想ＴＤＤフレーム構造による高度なスケジューリングの一例を示す図。
【図９】[0027]本明細書で説明する技法による、通信の例示的な方法を示す流れ図。
【図１０】[0028]本明細書で説明する技法による、通信の別の例示的な方法を示す流れ図。
【図１１】[0029]本明細書で説明する技法による、通信の別の例示的な方法を示す流れ図。
【図１２】[0030]アクセスポイントとアクセス端末との例示的な構成要素をより詳細に示すデバイスレベル図。
【図１３】[0031]一連の相互に関係する機能モジュールとして表される例示的な装置を示す図。
【図１４】[0032]一連の相互に関係する機能モジュールとして表される別の例示的な装置を示す図。
【図１５】[0033]一連の相互に関係する機能モジュールとして表される別の例示的な装置を示す図。
【発明を実施するための形態】
【００２１】
[0034]本開示は、一般に、共有通信媒体上での動作のための共存技法に関する。実際には共有通信媒体のための時間ベースの競合方式の下でのアクセス端末間ブロッキングの可能性を低減するために、様々なスケジューリング許可方式および関連する技法とともに再競合ギャップが使用され得る。複数のアクセス端末は、それに応じて、同時に、直交周波数リソース上で、または所与の無線アクセス技術（ＲＡＴ）によって提供される他の多重化技法に従って動作するのを許可され得る。一例として、一連の（a series of）再競合ギャップがあるがアクセス端末が同時にスケジュールされる非衝突許可方式が採用され得る。別の例として、アクセス端末が重複する時間および周波数リソースを用いてスケジュールされるが、階層的に優先順位が付けられる衝突許可方式が採用され得る。
【００２２】
[0035]いくつかのアクセス端末に代わって（on behalf of）アクセスポイントが共有通信媒体へのアクセスを求めて競合する（contends for access）集中競合方式も、本明細書で提供する様々な拡張競合モードによって改善され得る。たとえば、アクセス端末による自律競合（autonomous contention）は、半永続的許可などの高度なスケジューリング許可によって容易にされ得る。これは、競合プロセス中のスケジューリング効率と比例公平性と両方を改善し得る。
【００２３】
[0036]説明のために提供される様々な例を対象とする以下の説明および関連する図面で本開示のより具体的な態様を提供する。本開示の範囲から逸脱することなく、代替態様が考案され得る。さらに、より関連する詳細を不明瞭にしないように、本開示のよく知られている態様は詳細に説明されないことがあるか、または省略されることがある。
【００２４】
[0037]以下で説明する情報および信号は、多種多様な技術および技法のいずれかを使用して表され得ることを当業者は諒解されよう。たとえば、以下の説明全体を通じて参照され得るデータ、命令、コマンド、情報、信号、ビット、シンボル、およびチップは、特定の適用例、所望の設計、対応する技術などに一部応じて、電圧、電流、電磁波、磁場もしくは磁気粒子、光場もしくは光粒子、またはそれらの任意の組合せによって表現され得る。
【００２５】
[0038]さらに、多くの態様について、たとえば、コンピューティングデバイスの要素によって実施されるべき一連のアクションに関して説明する。本明細書で説明する様々なアクションは、特定の回路（たとえば、特定用途向け集積回路（ＡＳＩＣ））によって、１つまたは複数のプロセッサによって実行されるプログラム命令によって、あるいは両方の組合せによって実装され得ることを認識されよう。さらに、本明細書で説明する態様の各々について、任意のそのような態様の対応する形式は、たとえば、説明するアクションを実行する「ように構成された論理」として実施され得る。
【００２６】
[0039]図１は、「１次」無線アクセス技術（ＲＡＴ）システム１００と「競合」ＲＡＴシステム１５０とを含む例として示される例示的なワイヤレスネットワーク環境を示すシステムレベル図である。各システムは、様々なタイプの通信（たとえば、音声、データ、マルチメディアサービス、関連する制御シグナリングなど）に関係する情報を含めて、概してワイヤレスリンクを介して受信および／または送信することが可能な異なるワイヤレスノードから構成され得る。１次ＲＡＴシステム１００は、ワイヤレスリンク１３０を介して互いに通信しているアクセスポイント１１０とアクセス端末１２０とを含むものとして示されている。競合ＲＡＴシステム（competing RAT system）１５０は、別個の（separate）ワイヤレスリンク１３２を介して互いに通信している２つの競合ノード１５２を含むものとして示されており、１つまたは複数のアクセスポイント、アクセス端末、あるいは他のタイプのワイヤレスノードを同様に含み得る。一例として、１次ＲＡＴシステム１００のアクセスポイント１１０とアクセス端末１２０とは、ロングタームエボリューション（ＬＴＥ）技術に従ってワイヤレスリンク１３０を介して通信し得、一方、競合ＲＡＴシステム１５０の競合ノード１５２は、Ｗｉ−Ｆｉ技術に従ってワイヤレスリンク１３２を介して通信し得る。図示されたエンティティは説明のために示したにすぎず、各システムが、地理的領域全体にわたって分散される任意の数のワイヤレスノードをサポートし得ることを諒解されよう。
【００２７】
[0040]別段に記載されていない限り、「アクセス端末」および「アクセスポイント」という用語は、任意の特定のＲＡＴに特有のものまたは任意の特定のＲＡＴに限定されるものではない。概して、アクセス端末は、ユーザが通信ネットワークを介して通信することを可能にする任意のワイヤレス通信デバイス（たとえば、モバイルフォン、ルータ、パーソナルコンピュータ、サーバ、エンターテインメントデバイス、モノのインターネット（ＩＯＴ）／すべてのインターネット（ＩＯＥ）対応デバイス、車載通信デバイスなど）であり得、異なるＲＡＴ環境において、代替的に、ユーザデバイス（ＵＤ）、移動局（ＭＳ）、加入者局（ＳＴＡ）、ユーザ機器（ＵＥ）などと呼ばれることがある。同様に、アクセスポイントは、アクセスポイントが展開されるネットワークに応じてアクセス端末と通信する際に１つまたはいくつかのＲＡＴに従って動作し得、代替的に、基地局（ＢＳ）、ネットワークノード、ノードＢ、発展型ノードＢ（ｅＮＢ）などと呼ばれることがある。そのようなアクセスポイントは、たとえば、スモールセルアクセスポイントに対応し得る。「スモールセル」は、概して、フェムトセル、ピコセル、マイクロセル、ワイヤレスローカルエリアネットワーク（ＷＬＡＮ）アクセスポイント、他の小カバレージエリアアクセスポイントなどを含み得るか、あるいはそれらのように呼ばれる低出力アクセスポイントのクラスを指す。スモールセルは、マクロセルカバレージを補うために展開され得、これは、近傍内の数ブロックまたは地方環境における数平方マイルをカバーし、それによって、改善されたシグナリング、増分キャパシティの増大、よりリッチなユーザエクスペリエンスなどをもたらし得る。
【００２８】
[0041]図１に戻ること、１次ＲＡＴシステム１００によって使用されるワイヤレスリンク１３０と競合ＲＡＴシステム１５０によって使用されるワイヤレスリンク１３２とが共有通信媒体１４０を介して動作し得る。このタイプの通信媒体は、（たとえば、１つまたは複数のキャリアにわたって１つまたは複数のチャネルを包含する（encompassing））１つまたは複数の周波数、時間、および／または空間通信リソースから構成され得る。一例として、通信媒体１４０は、無認可周波数帯域の少なくとも一部分に対応し得る。異なる認可周波数帯域が（たとえば、米国の連邦通信委員会（ＦＣＣ）などの政府機関によって）いくつかの通信のために予約されているが、いくつかのシステム、特に、スモールセルアクセスポイントを採用するシステムは、Ｗｉ−Ｆｉを含むＷＬＡＮ技術によって使用される無認可国家情報インフラストラクチャ（Ｕ−ＮＩＩ）帯域などの無認可周波数帯域に動作を拡張している。
【００２９】
[0042]通信媒体１４０の共用により、ワイヤレスリンク１３０とワイヤレスリンク１３２との間のクロスリンク干渉の可能性がある。さらに、いくつかのＲＡＴおよびいくつかの管轄（jurisdictions）は、通信媒体１４０へのアクセスを求める競合または「リッスンビフォアトーク（ＬＢＴ）」を必要とし得る。一例として、クリアチャネルアセスメント（ＣＣＡ）プロトコルが使用され得、ここで、各デバイスは、それ自体の送信のための通信媒体を占有（seizing）（し、場合によっては予約）する前に、媒体感知（medium sensing）を介して、共有通信媒体上での他のトラフィックの不在を検証する。いくつかの設計では、ＣＣＡプロトコルは、それぞれ、ＲＡＴ内トラフィックおよびＲＡＴ間トラフィックに通信媒体を譲歩する（yielding）ための別個の（distinct）ＣＣＡプリアンブル検出（ＣＣＡ−ＰＤ）機構およびＣＣＡエネルギー検出（ＣＣＡ−ＥＤ）機構を含み得る。欧州通信規格協会（ＥＴＳＩ）は、たとえば、無認可周波数帯域などの、ある通信媒体上でそれらのＲＡＴにかかわらずすべてのデバイスを求める競合（contention for all devices regardless of their RAT）を要求する。
【００３０】
[0043]以下でより詳細に説明するように、アクセスポイント１１０および／またはアクセス端末１２０は、上記で簡単に説明したアクセス端末間アンブロッキングおよび高度競合技法を提供するかあるいはそれをサポートするために本明細書の教示に従って様々に構成され得る。たとえば、アクセスポイント１１０は、媒体アクセスマネージャ１１２を含み得、アクセス端末１２０は、媒体アクセスマネージャ１２２を含み得る。媒体アクセスマネージャ１１２および／または媒体アクセスマネージャ１２２は、通信媒体１４０へのアクセスを管理するために様々な方法で構成され得る。
【００３１】
[0044]図２に、アクセスポイント１１０／アクセス端末１２０と競合ＲＡＴシステム１５０との間での競合ベースのアクセスを容易にするために通信媒体１４０上の１次ＲＡＴシステム１００のために実装され得る例示的な仮想時分割複信（ＴＤＤ）フレーム構造を示す。説明のために、アクセスポイント１１０は、例として、アクセス端末２２０および２２２として示されている追加のアクセス端末にも通信サービスを提供するものとして示されている。
【００３２】
[0045]図示のフレーム構造は、システムフレーム番号（ＳＦＮ）数霊術（numerology）に従って番号付けされ（ＳＦＮ  Ｎ、Ｎ＋１、Ｎ＋２など）、それぞれのサブフレーム（ＳＦ）に分割され、同じく参照のために番号付けされ得る（たとえば、ＳＦ０、ＳＦ１など）一連の無線フレーム（ＲＦ）を含む。一例として、ＬＴＥフレーム構造は、それぞれ１０個のサブフレームから構成される１０２４個の番号付けされた無線フレームに分割されるシステムフレームを含み、これらは、（たとえば、１ｍｓのサブフレームを有する１０ｍｓの無線フレームのために１０．２４ｓ持続する）ＳＦＮサイクルを一緒に構成する。フレーム構造の使用は、よりアドホックなシグナリング技法よりもデバイス間のより自然で効率的な協調をもたらし得る。
【００３３】
[0046]図２の例示的なフレーム構造は、各サブフレームがダウンリンク（Ｄ）サブフレーム、アップリンク（Ｕ）サブフレーム、または特殊（Ｓ）サブフレームとして異なる時間に様々に動作し得るという点でＴＤＤである。概して、ダウンリンクサブフレームは、アクセスポイント１１０からアクセス端末１２０にダウンリンク情報を送信するために予約されており、アップリンクサブフレームは、アクセス端末１２０からアクセスポイント１１０にアップリンク情報を送信するために予約されており、特殊サブフレームは、ガード期間によって分離されたダウンリンク部分とアップリンク部分とを含み得る。ダウンリンクサブフレーム、アップリンクサブフレーム、および特殊サブフレームの異なる配置は、異なるＴＤＤ構成と呼ばれることがある。上記のＬＴＥの例に戻ると、ＬＴＥフレーム構造のＴＤＤ変形態は、各構成がダウンリンクサブフレーム、アップリンクサブフレーム、および特殊サブフレームの異なる配置を有する７つのＴＤＤ構成（ＴＤＤ  Ｃｏｎｆｉｇ０〜ＴＤＤ  Ｃｏｎｆｉｇ６）を含む。たとえば、異なるトラフィックシナリオに適応するために、いくつかのＴＤＤ構成がより多くのダウンリンクサブフレームを有し得、いくつかのＴＤＤ構成がより多くのアップリンクサブフレームを有し得る。図２の図示の例では、ＬＴＥにおけるＴＤＤ  Ｃｏｎｆｉｇ３と同様であるＴＤＤ構成が採用される。採用される特定のＴＤＤ構成は、システム情報ブロック（ＳＩＢ）メッセージ、制御領域中でＴＤＤフレームフォーマットを示すための新しい物理チャネルなど（たとえば、ＬＴＥにおけるＳＩＢ−１メッセージ）を使用して、アクセスポイント１１０によってブロードキャストされ得る。
【００３４】
[0047]各ＴＤＤ構成が異なるが、すべてのＴＤＤ構成にわたって同じである１つまたは複数のサブフレームがあり得る。本明細書では、これらのサブフレームをアンカーサブフレームと呼ぶ。再び上記のＬＴＥの例に戻ると、ＴＤＤ構成ＴＤＤ  Ｃｏｎｆｉｇ０〜ＴＤＤ  Ｃｏｎｆｉｇ６の各々にわたる各無線フレーム中でサブフレームＳＦ０はダウンリンクサブフレームであり、ＳＦ１は特殊サブフレームであり、ＳＦ２はアップリンクサブフレームであり、ＳＦ５はダウンリンクサブフレームである。図示の例では、アンカーサブフレームは、各無線フレームのサブフレームＳＦ０、ＳＦ１、ＳＦ２、およびＳＦ５に同様に対応するが、特定のアンカーキャリア指定が異なるシステムにわたって変動し得ることを諒解されよう。
【００３５】
[0048]図２の例示的なフレーム構造は、通信媒体１４０にアクセスするための競合手順により任意の所与のインスタンスにおいて各サブフレームが１次ＲＡＴシグナリングによって占有されることも占有されないこともあるという点で仮想である。概して、アクセスポイント１１０またはアクセス端末１２０が所与のサブフレームを求める競合に勝つことができない場合、そのサブフレームは無音化され（silenced）得る。
【００３６】
[0049]ある時点において、競合プロセス中に、通信媒体１４０は、クリア（たとえば、ＣＣＡクリア）になり、たとえば、アクセスポイント１１０がそれを占有する。ある継続時間（たとえば、１つの無線フレーム）を有する送信機会（ＴＸＯＰ）のためにそれ自体のための通信媒体１４０を予約するために、アクセスポイント１１０は、競合ＲＡＴシステム１５０に対して定義されたチャネル予約メッセージ（ＲＳＶ）２０２を送り得る。チャネル予約メッセージ２０２は、１次ＲＡＴ動作のために通信媒体１４０を予約するために通信媒体１４０を介して（たとえば、アクセスポイント１１０に同じく（also）属する競合ＲＡＴ固有のトランシーバを介して）送信され得る。例示的なチャネル予約メッセージは、たとえば、競合Ｗｉ−Ｆｉ  ＲＡＴのための８０２．１１ａデータパケット、自己宛送信可（ＣＴＳ２Ｓ：Clear-to-Send-to-Self）メッセージ、送信要求（ＲＴＳ：Request-to-Send）メッセージ、送信可（ＣＴＳ：Clear-to-Send）メッセージ、物理レイヤコンバージェンスプロトコル（ＰＬＣＰ：Physical Layer Convergence Protocol）ヘッダ（たとえば、レガシー信号（Ｌ−ＳＩＧ：legacy signal）、高スループット信号（ＨＴ−ＳＩＧ：high throughput signal）、または超高スループット信号（ＶＨＴ−ＳＩＧ：very high throughput signal））などまたは注目する他の競合ＲＡＴに対して定義される他の同様のメッセージを含み得る。チャネル予約メッセージ２０２は、アクセスポイント１１０がアクセスを求めて競合したターゲットＴＸＯＰの継続時間に対応する継続時間指示（たとえば、ネットワーク割当てベクトル（ＮＡＶ））を含み得る。
【００３７】
[0050]図２に戻ると、アクセスポイント１１０によってサービスされるアクセス端末の数が増大する（grows）につれて、それらが互いにブロックする可能性が増加する。たとえば、図示のように、アクセス端末１２０、２２０、および２２２が所与のアップリンクサブフレーム中で直交周波数リソース上にアクセスポイント１１０によってスケジュールされる場合でも、それらのスケジュールされた送信は、依然として（still）時間的に重複し得る。１次ＲＡＴのシグナリングプロトコルの下で実際の競合がないことがあるが、アクセス端末１２０、２２０、および２２２が、バックオフしきい値（たとえば、ＣＣＡ−ＥＤしきい値、ＬＢＴしきい値など）を上回るシグナリングエネルギーを受信するのに互いに十分近接しているとき、最初に送信するものは、他のものが実際には通信媒体１４０のためのものであり得る時間ベースの競合方式の下でそれのスケジュールされたリソースを利用するのをブロックし得る。図示の例では、アクセス端末１２０および２２２は、リソース要素の第１の（時間）セット中にスケジュールされ、したがって、アクセス端末２２０を通信媒体１４０のそれのその後に（subsequently）スケジュールされた使用からブロックし、アクセス端末１２０はまた、リソース要素の次のセット中にスケジュールされ、したがって、アクセス端末２２２を通信媒体１４０のそれのその後にスケジュールされた使用からブロックし、以下同様に行う。いくつかの競合方式が、アップリンクトラフィックのようないわゆる応答メッセージング（たとえば、シングルショットＣＣＡ）を求める少なくとも低減された形態の競合を必要とし得るので、これは、アクセスポイント１１０によって予約されたＴＸＯＰが、問題になっているアップリンクサブフレームにわたる場合でもあり得る。
【００３８】
[0051]図３〜図４に、図２の仮想ＴＤＤフレーム構造による例示的な非衝突許可方式を示す。これらの例では、アクセスポイント１１０は、それぞれのスケジューリング許可３５０を介してアクセス端末１２０、アクセス端末２２０、およびアクセス端末２２２のためのアップリンクトラフィックリソースをスケジュールする。アクセスポイント１１０はまた、仮想ＴＤＤフレーム構造のためのアップリンクヘビーな構成を利用し、より長い時間期間（たとえば、２〜３つの無線フレーム）の間通信媒体１４０を予約する。
【００３９】
[0052]図３の時分割多重（ＴＤＭ）非衝突許可方式では、アクセスポイント１１０は、時間的にジグザグに配置される（staggered）別個のサブフレームまたは他のリソースユニット中にアクセス端末１２０、２２０、および２２２をスケジュールし得る。しかしながら、アクセス端末１２０、２２０、および２２２が互いにブロックしない場合でも、事前時分割多重化は、アップリンクリソースの過少利用（underutilization）につながり得る。たとえば、アクセス端末１２０、２２０、および２２２の各々が受ける（experienced by）干渉レベルの知識なしにリソースが事前スケジュールされるので、他の１次ＲＡＴシステムならびに競合ＲＡＴシステム１５０を含む近くの非同期の他の事業者の干渉物は、一定の時間期間の間通信媒体１４０へのアクセスをブロックし得、それによって、その時間中にスケジュールされたアクセス端末１２０、２２０、２２２のうちの１つに不相応に（disproportionately）影響を及ぼす。言い換えれば、事前時分割多重化は、時間ダイバーシティの欠如という欠点があり得る。したがって、以下でより詳細に説明する他の設計では、アクセスポイント１１０は、リソースのより効率的な使用を利用可能にする異なる非衝突許可方式さらには衝突許可方式を採用し得る。
【００４０】
[0053]図４の周波数分割多重（ＦＤＭ）非衝突許可方式において、競合プロセスのクリアチャネルアセスメント段階中にアクセス端末間ブロックキングを低減するために、アクセスポイント１１０は、時間的には同時であるが周波数的には直交にアクセス端末１２０、２２０、および２２２をスケジュールし得る。このようにして、アクセス端末１２０、２２０、および２２２の各々は、同時に、すなわち、クリアチャネルアセスメント段階が完了した後に送信し始め得る。
【００４１】
[0054]しかしながら、競合ＲＡＴシステム１５０によって生じ得る開始時間スタガリングによるアクセス端末間ブロッキングを低減するために、アクセスポイント１１０はまた、図示のように一連の短い再競合ギャップ３６０を与え、一連の再競合ギャップ３６０の各々中に通信媒体上でのアップリンクおよびダウンリンク送信を無音化し得る。たとえば、アクセス端末１２０は、競合ＲＡＴシステム１５０によって通信媒体１４０に最初にアクセスするのを妨げられるべきである場合、次いでアップリンクサブフレームの連続グループ内で後で（at a later time）そうするのを他のアクセス端末２２０および２２２によってブロックされ得る。短い再競合ギャップ３６０を提供することによって、１次ＲＡＴシグナリングは、アクセス端末１２０が通信媒体１４０へのアクセスを回復することを可能にするために一時的に中断され得る。再競合およびクリアチャネルアセスメントの後、アクセス端末１２０、２２０、および２２２の各々は、再び同時に送信し始め得る。
【００４２】
[0055]図３の例では、アクセス端末１２０、２２０、および２２２のためのリソースは、時分割多重化され、再競合ギャップ３６０は、相応して、それらの間に（たとえば、異なるアクセス端末に割り当てられたリソースの間の遷移境界にまたはその近くに）発生するようにスケジュールされる。図４の例では、アクセス端末１２０、２２０、および２２２のためのリソースは、周波数分割多重化され、再競合ギャップ３６０は、時間的に重複するリソース内に（たとえば、アクセス端末１２０、２２０、および２２２の各々のためのリソースを含んでいるアップリンクサブフレーム内に）発生するようにスケジュールされる。
【００４３】
[0056]再競合ギャップ３６０は、様々な方法で実装され得る。たとえば、所与のアップリンクサブフレームの最後の１つまたは複数のシンボル期間は、アップリンクサブフレーム中にサウンディング基準信号（ＳＲＳ）ギャップを広告し、次いで、この時間中にＳＲＳ送信のためにアクセス端末１２０、２２０、または２２２のいずれも構成するのを控えることなどによって再競合ギャップを与えるためにミュートされ得る。通常、ＳＲＳシグナリングは、アップリンクサブフレームの最後のシンボル期間のシンボルのセットのために指定され、アップリンク電力制御、リンク適応、サブバンドスケジューリング（たとえば、周波数依存アップリンクスケジューリング）などにおいて使用するための広帯域アップリンクチャネル推定を容易にするのを助けるために使用される。アクセス端末１２０、２２０、および２２２は、ＳＲＳシグナリングのために指定されたあらゆるシンボル期間が他の送信のために使用されないことがあることを理解するように構成され得、したがって、これらの信号期間は無音化されることがある。再競合ギャップ３６０の対応するスケジュールはまた、アクセス端末協調のためのスケジューリング許可３５０のうちの１つまたは複数中に含まれ得る。
【００４４】
[0057]図５に、図２の仮想ＴＤＤフレーム構造による例示的な階層衝突許可方式を示す。この例では、アクセスポイント１１０は、それぞれのスケジューリング許可３５０を介してアクセス端末１２０、アクセス端末２２０、およびアクセス端末２２２のためのアップリンクトラフィックリソースをスケジュールする。アクセスポイント１１０はまた、この場合も、仮想ＴＤＤフレーム構造のためのアップリンクヘビーな構成を利用し、より長い時間期間（たとえば、２〜３つの無線フレーム）の間通信媒体１４０を予約する。
【００４５】
[0058]図示のように、この設計では、アクセスポイント１１０は、時間と周波数の両方において重複するリソース中にアクセス端末１２０、２２０、および２２２を一緒にスケジュールし得る。すなわち、アクセスポイント１１０は、アクセス端末１２０、２２０、および２２２に衝突スケジューリング許可を送り得る。しかしながら、実際の衝突を防止するために、アクセス端末１２０、２２０、および２２２の間で階層を確立することによってそれらにわたって競合が実行され得る。
【００４６】
[0059]いくつかの設計では、競合は、アクセス端末１２０、２２０、および２２２の各々によって自律的に実行され得、アクセスポイント１１０は、それらのそれぞれの競合パラメータを調整することによって公平性（たとえば、比例公平性）を促進し得る。たとえば、アクセスポイント１１０は、特定の時間に（たとえば、一連の再競合ギャップ３６０のうちの少なくとも１つ中に）通信媒体１４０へのアクセスを求めて競合することに関して他のアクセス端末２２０および２２２よりもアクセス端末１２０を優先させ得る。これは、ランダム選択競合窓サイズＮ（たとえば、［１．．ｑ］の間のランダム数としてのＮ）のために（たとえば、数ｑによって制限されるので（as bounded））低減された変数空間を定義する１つまたは複数の競合パラメータ５５０のセットをアクセス端末１２０に割り当てることによって達成され得る。したがって、平均して、アクセス端末１２０は、より小さい窓サイズＮを選択し、より高い頻度で他のアクセス端末２２０および２２２より先に（ahead of）通信媒体１４０にアクセスしようと試みることになる。アクセス端末１２０が通信媒体１４０と対応するスケジュールされたリソースとを占有すると、他のアクセス端末２２０および２２２は、アクセス端末１２０にアクセスを譲歩し得る。譲歩することは、アクセス端末１２０のシグナリングエネルギーを観測したことに応答したもの、または関連するアクセス端末アクセスシグネチャ（たとえば、１次ＲＡＴ基準信号または２次ＲＡＴチャネル予約メッセージ）などの明示的メッセージによるものであり得る。アクセス端末１２０が競合ＲＡＴシステム１５０によってブロックされる場合でも、他のアクセス端末２２０および２２２のうちの１つは、後でそれらの自体の競合パラメータに従って通信媒体１４０を占有し、それによって、スケジュールされたリソースが利用されなくなることを保証し得る。
【００４７】
[0060]他の設計では、競合は、同様の優先競合パラメータに従って直接アクセスポイント１１０によって制御され得る。たとえば、アクセスポイント１１０は、この場合も、アクセス端末１２０（it）に低減された変数空間を割り当てることによって他のアクセス端末２２０および２２２よりもアクセス端末１２０を優先させ得るが、アクセスポイント１１０は、ランダム選択によりアクセス端末１２０、２２０、および２２２の各々のための競合窓サイズＮをそれ自体で決定し得る。得られた競合窓サイズは、次いで、それぞれアクセス端末１２０、２２０、および２２２の各々に送られ得る。この設計により、アクセスポイント１１０が最終競合窓サイズを送り出す前にアクセス端末１２０、２２０、および２２２の間のあらゆる（any）競合（たとえば、２つ以上が同じ窓サイズを選択すること）を内部で解決することが可能になり、この場合も、スケジュールされたリソースのまたさらなる効率的な使用が促進される。
【００４８】
[0061]図５にさらに示すように、短い再競合ギャップ３６０は、この場合も、アクセス端末１２０、２２０、および２２２が比例公平性およびより良いリソース利用を促進することを可能にするために、階層衝突許可方式も併せて採用され得る。
【００４９】
[0062]図６に、通信媒体１４０上に１次ＲＡＴシステム１００のために実装され得る仮想ＴＤＤフレーム構造上でのアップリンク遅延の可能性および競合プロセスの一例を示す。図２と同様に、説明のために、アクセスポイント１１０は、アクセス端末１２０ならびにこの場合も、例として、アクセス端末２２０として示されている追加のアクセス端末に通信サービスを提供するものとして示されている。
【００５０】
[0063]いくつかのシステムまたはシナリオにおいて、アクセスポイント１１０は、アクセス端末１２０ならびにアクセス端末２２０のために通信媒体１４０を予約しようと試み得る。しかしながら、アクセスポイント１１０によってサービスされるアクセス端末の数が増えるにつれて、このタイプの集中型予約は問題となり得る。たとえば、１次ＲＡＴシステム１００および、拡大解釈すると（by extension）、アクセスポイント１１０は、ＬＴＥ技術、ＩＥＥＥ  ８０２．１１ａｘ技術、または別の集中スケジューリングベースのプロトコルに従って動作し得るが、競合ＲＡＴシステム１５０は、ＩＥＥＥ８０２．１１ｎ、ＩＥＥＥ８０２．１１ａｃ、または別の分散アクセスベースのプロトコルに従って動作し得る。単一のエンティティとして競合することによって、アクセスポイント１１０は、通信媒体１４０へのアクセスを求めて競合ＲＡＴシステム１５０からのいくつかのデバイスに対して競合するときに、比例的に不利になり得る。アクセスポイント１１０が複数のアクセス端末（たとえば、サービスされているアクセス端末１２０および２２０の両方）の興味を表し得るが、アクセスポイント１１０は、それの単一エンティティステータスに比例してしか通信媒体１４０へのアクセスを獲得することできないことがある。
【００５１】
[0064]さらに、通信媒体１４０が所与のＴＸＯＰのために予約され得るが、処理遅延は、アクセスポイント１１０が予約に続くある時間期間の間アップリンクトラフィックをスケジュールするのを妨げ得る。たとえば、アクセスポイント１１０は、アクセス端末がスケジューリング情報を処理し、送信のための準備することを可能にするために遷移期間を用いて（with）アクセス端末を構成するＬＴＥ技術または別のプロトコルに従って動作し得る。アクセスポイント１１０が、通信媒体１４０の予約に続いてできるだけ早い機会に（at the earliest opportunity）アクセス端末１２０および２２０にスケジューリング許可を送るべきである場合でも、アクセス端末１２０および２２０は、数サブフレーム後まで送信する準備ができないことがある。図６の図示の例では、アクセス端末１２０および２２０は、４つのサブフレーム内にスケジューリング許可を受信する準備ができているように構成され、したがって、これは、アップリンク遅延をもたらす。したがって、ＳＦＮ  Ｎ＋１の最後のアップリンクサブフレームしかアップリンクトラフィックのために利用可能にならず、最初の２つのアップリンクサブフレームは、使用から効果的にブロックされる。図示のように、アクセスポイント１１０が競合しているＴＸＯＰ継続時間を延長することが、そのような処理遅延の影響を最小化するのに役立ち得るが、延長されたＴＸＯＰ継続時間は、それ自体の非効率性をもたらす延長競合プロセスを必要とし（require）得る。
【００５２】
[0065]図７に、集中競合方式のための公平性を容易にするための仮想ＴＤＤフレーム構造による積極的な（aggressive）競合の一例を示す。この例では、アクセスポイント１１０は、最初に、アクセス端末１２０とアクセス端末２２０と両方のためのアップリンクトラフィックをスケジュールするために通信媒体１４０へのアクセスを求めて競合する。後で、アクセスポイント１１０は、アクセス端末１２０のためだけのアップリンクトラフィックをスケジュールするために通信媒体１４０へのアクセスを求めて競合する。ここでは、図２のフレーム構造による積極的な競合技法の図が例示のためにだけに提供されており、アクセスポイント１１０がＬＴＥ、ＩＥＥＥ  ８０２．１１ａｘなどの任意の特定のプロトコルに従って動作するときに本技法が適用または適応され得ることを諒解されよう。
【００５３】
[0066]アクセス端末１２０および２２０を含む複数のアクセス端末について通信媒体１４０へのアクセスを優先させるために、アクセスポイント１１０は、（たとえば、競合窓サイズを制御する）比較的積極的な競合パラメータを使用して通信媒体１４０へのアクセスを求めて競合し得る。競合パラメータは、アクセスポイント１１０によってサービスされているアクセス端末の数に基づいて設定され、より多数のアクセス端末のためにより積極的な競合パラメータが設定され、比較的より少数のアクセス端末のためにあまり積極的でない競合パラメータが設定され得る。公平性を維持するために、競合パラメータは、さらに、通信媒体１４０へのアクセスを求めて同時に競合している競合ＲＡＴシステム１５０のデバイスの数に基づいて（たとえば、通信媒体１４０へのアクセスを求めて競合するデバイスの総数と比較したアクセスポイント１１０によってサービスされているアクセス端末の数の割合に基づいて）設定され得る。
【００５４】
[0067]図示の例では、２つのＴＸＯＰがそれぞれの競合窓（ＣＷ）とともに示されている。アクセスポイント１１０がアクセス端末１２０とアクセス端末２２０と両方のためのアップリンクトラフィックをスケジュールするために通信媒体１４０へのアクセスを求めて競合する第１の競合期間中に、アクセスポイントは、比較的短い競合窓を呼び出し得る。これは、短い競合窓を直接選択すること、ランダム選択競合窓のために低減された変数空間を選択すること、競合窓に関連する低減された最小値を選択することなどによって異なるシステムに対して異なる方法で行われ得る。アクセスポイント１１０がアクセス端末１２０だけためのアップリンクトラフィックをスケジュールするために通信媒体１４０へのアクセスを求めて競合する第２の競合期間中に、アクセスポイント１１０は、より長い競合窓を呼び出し得る。
【００５５】
[0068]図８に、集中競合方式のための公平性を容易にするための仮想ＴＤＤフレーム構造による高度なスケジューリングの一例を示す。この例では、アクセスポイント１１０は、この場合も、アクセス端末１２０とアクセス端末２２０と両方のためのアップリンクトラフィックをスケジュールするために通信媒体１４０へのアクセスを求めて競合する。
【００５６】
[0069]最初に、アクセスポイント１１０は、それらのそれぞれのアップリンクトラフィックのためにアクセス端末１２０および２２０に次回の（upcoming）時間、周波数、および／または符号化（たとえば、変調およびコーディング方式（ＭＣＳ））リソースのセットを割り振るためにアクセス端末１２０および２２０の各々に高度なスケジューリング許可を送る。スケジューリング許可は、将来に、定期的に（on a recurring basis）無期限にあるいは所定の時間期間の間にそれらがいくつかのＴＸＯＰにリソースを割り当て得るという点で半永続的であり得る。いくつかの設計では、スケジューリング許可は、リソースの割り振られたセットに関連する満了期間を含み得る。スケジューリング許可は、アクセスポイント１１０が通信媒体１４０へのアクセスを求めて成功裏に（successfully）競合したことがある以前の（earlier）ダウンリンクサブフレーム中に送られ得る。ここでの競合は、上記で説明したように（たとえば、競合窓を制御するなどの）通常の競合パラメータまたは比較的積極的な競合パラメータを使用し得る。図示のように、スケジューリング許可は、アクセスポイント１１０によって元の予約内に入るか、またはそれの外部に延在し（extend）得る。
【００５７】
[0070]このようにして、アクセス端末１２０および２２０は、アクセスポイント１１０とは無関係に（independently from）、それらのそれぞれの送信にどのリソースを使用すべきかを事前に（a priori）知り得、したがって、通信媒体１４０へのアクセスを求めて自律的に競合し得る。これにより、アクセス端末１２０および２２０はそれらの数に比例して競合することが可能になり、処理遅延の影響をも低減する。図示の例では、アクセスポイント１１０は、再競合するが、失敗し、したがって、高度なスケジューリング許可に続く最初の（initial）時間期間の間通信媒体１４０へのアクセスを獲得することができない。しかしながら、アクセス端末１２０および２２０のうちの１つまたは複数はそれ自体、それ自体の自律競合プロセスの一部としてこの時間中に通信媒体１４０へのアクセスを獲得することが可能であり得る。アクセス端末１２０および２２０とアクセスポイント１１０と両方が送信にどのリソースを使用または予想すべきかを事前に知るので、アクセスポイント１１０がそうすることができないことがあるが（even though the access point 110 may not be able to do so）、アクセス端末１２０および２２０は、依然として、それらが通信媒体１４０にアクセスすることが可能であるアップリンクサブフレームがどれでもそれらのそれぞれのアップリンクトラフィックを送信し得る。
【００５８】
[0071]後で、アクセスポイント１１０は、通信媒体１４０へのアクセスを回復する（regain）ことが可能であり得、所望の時間期間（たとえば、スケジューリング許可の寿命の残余）の間チャネル予約メッセージを予約するためにそのメッセージをブロードキャストし得る。さらに、通信媒体１４０へのアクセスを回復すると、アクセスポイント１１０は、動作環境またはアップリンクトラフィックの需要の変化を反映するために、高度なスケジューリング許可を新しいスケジューリング許可でオーバーライドし得、これは、スケジューリング柔軟性を保持するのを助ける。
【００５９】
[0072]図９は、上記で説明した技法による、通信の例示的な方法を示す流れ図である。方法９００は、たとえば、共有通信媒体上で動作するアクセスポイント（たとえば、図１に示したアクセスポイント１１０）によって実行され得る。一例として、通信媒体は、ＬＴＥ技術デバイスとＷｉ−Ｆｉ技術デバイスとの間で共有される無認可無線周波数帯域上の１つまたは複数の時間、周波数、または空間リソースを含み得る。
【００６０】
[0073]図示のように、アクセスポイントは、通信媒体上でのアップリンク送信のためのリソースの第１のセットのために第１のアクセス端末に第１のスケジューリング許可を送り得る（ブロック９０２）。アクセスポイントはまた、通信媒体上でのアップリンク送信のためのリソースの第２のセットのために第２のアクセス端末に第２のスケジューリング許可を送り得る（ブロック９０４）。アクセスポイントは、リソースの第１のセットおよびリソースの第２のセット内に、またはリソースの第１のセットとリソースの第２のセットの間にアクセス端末競合のための一連の再競合ギャップをスケジュールし（ブロック９０６）、一連の再競合ギャップの各々中に通信媒体上でのアップリンクおよびダウンリンク送信を無音化し得る（ブロック９０８）。再競合ギャップの対応するスケジュールは、第１のスケジューリング許可または第２のスケジューリング許可のうちの少なくとも１つ中に含まれ得る。
【００６１】
[0074]上記でより詳細に説明したように、無音化すること（ブロック９０８）は、アップリンクサブフレームの１つまたは複数のシンボル期間をミュートすることを備え得る。さらに、または、代替として、無音化すること（ブロック９０８）はまた、アップリンクサブフレームの１つまたは複数のシンボル期間中にＳＲＳギャップを広告するが、１つまたは複数のシンボル期間中にＳＲＳ送信のためにアクセス端末を構成しないことを備え得る。
【００６２】
[0075]いくつかの設計では、リソースの第１のセットとリソースの第２のセットとは、それぞれのシンボル期間中に時分割多重化され、再競合ギャップは、リソースの第１のセット（the first set of resources）に関連する１つまたは複数のシンボル期間とリソースの第２のセットに関連する１つまたは複数のシンボル期間との間に発生するようにスケジュールされ得る。他の設計では、リソースの第１のセットとリソースの第２のセットとは、１つまたは複数の共通シンボル期間中に周波数分割多重化され、再競合ギャップは、リソースの第１のセットおよびリソースの第２のセット内に発生するようにスケジュールされ得る。
【００６３】
[0076]さらに他の設計中で、リソースの第１のセットとリソースの第２のセットとは、時間および周波数において重複していることがある。ここで、アクセスポイントは、一連の再競合ギャップのうちの少なくとも１つ中に通信媒体へのアクセスを求めて競合することに関して第２のアクセス端末よりも第１のアクセス端末を優先させ得る。たとえば、そのように優先させることは、第１のアクセス端末に１つまたは複数の競合パラメータの第１のセットを送ることと、第２のアクセス端末に１つまたは複数の競合パラメータの第２のセットを送ることと、１つまたは複数の競合パラメータの第１のセットは、ランダム選択競合窓サイズのために１つまたは複数の競合パラメータの第２のセットよりも小さい変数空間を定義する、を備え得る。別の例として、優先させることは、１つまたは複数の競合パラメータの第１のセットに従って第１のアクセス端末のための第１のランダム選択競合窓サイズを決定することと、１つまたは複数の競合パラメータの第２のセットに従って第２のアクセス端末のための第２のランダム選択競合窓サイズを決定することと、１つまたは複数の競合パラメータの第１のセットは、ランダム選択競合窓サイズのために１つまたは複数の競合パラメータの第２のセットよりも小さい変数空間を定義する、を備え得る。アクセスポイントは、次いで、第１のアクセス端末および第２のアクセス端末に、それぞれ、第１の競合窓サイズおよび第２の競合窓サイズを送り得る。
【００６４】
[0077]図１０は、上記で説明した技法による、通信の別の例示的な方法を示す流れ図である。方法１０００は、たとえば、共有通信媒体上で動作するアクセス端末（たとえば、図１に示したアクセス端末１２０）によって実行され得る。一例として、通信媒体は、ＬＴＥ技術デバイスとＷｉ−Ｆｉ技術デバイスとの間で共有される無認可無線周波数帯域上の１つまたは複数の時間、周波数、または空間リソースを含み得る。
【００６５】
[0078]図示のように、アクセス端末は、アクセスポイントから、通信媒体上でのアップリンク送信のためにアクセス端末にリソースのセットを割り振るスケジューリング許可を受信し得る（ブロック１００２）。アクセス端末は、次いで、スケジューリング許可に基づいて通信媒体へのアクセスを求めて競合し得る（ブロック１００４）。アクセス端末は、次いで、アクセスポイントに、競合することに基づいてリソースの割り振られたセットを介してアップリンクトラフィックを選択的に送信し得る。
【００６６】
[0079]上記でより詳細に説明したように、スケジューリング許可は、複数のＴＸＯＰにわたってアクセス端末に次回の時間および周波数リソースを割り振り得る。スケジューリング許可はまた、変調およびコーディング方式の指示を含み得る。いくつかの設計では、スケジューリング許可は、リソースの割り振られたセットに関連する満了期間を含み得る。
【００６７】
[0080]図１０に戻ると、アクセス端末はまた、アクセスポイントから、通信媒体上でのアップリンク送信のためにアクセス端末にリソースのオーバーライドセット（an overriding set of resources）を割り振る第２のスケジューリング許可を受信し得る（随意のブロック１３０８）。第２のスケジューリング許可は、第１のスケジューリング許可の満了の前に受信され得る。
【００６８】
[0081]選択的に送信すること（ブロック１３０６）は、たとえば、競合することが成功したことに応答して（in response to the contending being successful）リソースの割り振られたセットを介してアップリンクトラフィックを送信することと、競合することに失敗したことに応答して（in response to the contending being unsuccessful）リソースの割り振られたセットを介してアップリンクトラフィックを送信するのを控えることとを備え得る。競合すること（ブロック１３０４）は、リソースの割り振られたセットの第１のインスタンスのために通信媒体へのアクセスを求めて競合することと、リソースの割り振られたセットの第２のインスタンスのために通信媒体へのアクセスを求めて再競合することとを備え得る。
【００６９】
[0082]図１１は、上記で説明した技法による、通信の別の例示的な方法を示す流れ図である。方法１１００は、たとえば、共有通信媒体上で動作するアクセスポイント（たとえば、図１に示したアクセスポイント１１０）によって実行され得る。一例として、通信媒体は、ＬＴＥ技術デバイスとＷｉ−Ｆｉ技術デバイスとの間で共有される無認可無線周波数帯域上の１つまたは複数の時間、周波数、または空間リソースを含み得る。
【００７０】
[0083]図示のように、アクセスポイントは、通信媒体上での送信のために複数のアクセス端末をスケジューリングし（ブロック１１０２）、スケジュールされているアクセス端末の数に基づいて通信媒体へのアクセスを求めて競合するようにそれ自体のための１つまたは複数の競合パラメータを設定し得る（ブロック１１０４）。アクセスポイントは、次いで、１つまたは複数の競合パラメータに従って通信媒体へのアクセスを求めて競合し得る（ブロック１１０６）。
【００７１】
[0084]上記でより詳細に説明したように、１つまたは複数の競合パラメータは、より少数のアクセス端末がスケジュールされている場合（for）と比較してより多数のアクセス端末がスケジュールされている場合にアクセスを優先させるように設定され得る。一例として、１つまたは複数の競合パラメータは、競合窓サイズを備え、設定すること（ブロック１１０４）は、より少数のアクセス端末がスケジュールされているものに（for）、より長い競合窓を設定し、より多数のアクセス端末がスケジュールされているものに、より短い競合窓を設定することを備え得る。いくつかの設計では、設定すること（ブロック１１０４）は、競合窓サイズを直接選択すること、競合窓サイズをランダムに選択することに関連する変数空間を選択すること、または競合窓サイズに関連する最小値を選択することのうちの少なくとも１つを備え得る。
【００７２】
[0085]アクセスポイントはまた、アクセス端末によって利用されるＲＡＴとは異なるＲＡＴに従って通信媒体へのアクセスを求めて競合する他のワイヤレスデバイスの数を決定し、設定する（ブロック１１０４）ことは、他のワイヤレスデバイスの決定された数にさらに基づき得る。
【００７３】
[0086]図１１に戻ると、アクセスポイントはまた、競合することが成功したことに応答して、通信媒体上でのアップリンク送信のためのリソースのセットのために複数のアクセス端末のうちの第１のアクセス端末に永続的または半永続的スケジューリング許可を送り得る（随意の（optional）ブロック１１０８）。アクセスポイントは、第１のアクセス端末に許可されたリソースのセットのために通信媒体へのアクセスを求めて再競合し得る（随意のブロック１１１０）が、再競合することは失敗することがある。とはいえ、第１のアクセス端末は許可されたリソースのセットに従って自律的に競合することが可能であり得るので、アクセスポイントは、依然として、第１のアクセス端末に許可されたリソースのセットを介して第１のアクセス端末からアップリンクトラフィックを受信し得る（随意のブロック１１１２）。
【００７４】
[0087]いくつかの設計では、スケジューリング許可は、半永続的であり、アクセスポイントは、スケジューリング許可の残余（remainder）をカバーする時間期間の間通信媒体を予約するためにチャネル予約メッセージをブロードキャストし得る。アクセスポイントはまた、通信媒体上でのアップリンク送信のためのリソースのオーバーライドセットのために第１のアクセス端末に第２のスケジューリング許可を送り得る。
【００７５】
[0088]一般的に、アクセスポイント１１０およびアクセス端末１２０は、それぞれ、媒体アクセスマネージャ１１２および媒体アクセスマネージャ１２２を含む関係する部分しか図１に示されていない。しかしながら、アクセスポイント１１０とアクセス端末１２０とが、本明細書で説明するアクセス端末間アンブロッキングおよび高度競合技法を提供するかあるいはアクセス端末間アンブロッキングおよび高度競合技法をサポートするために様々な方法で構成され得ることを諒解されよう。
【００７６】
[0089]図１２は、１次ＲＡＴシステム１００のアクセスポイント１１０とアクセス端末１２０との例示的な構成要素をより詳細に示すデバイスレベル図である。図示のように、アクセスポイント１１０とアクセス端末１２０とはそれぞれ、概して、少なくとも１つの指定されたＲＡＴを介して他のワイヤレスノードと通信するための（通信デバイス１２３０および１２５０によって表される）ワイヤレス通信デバイスを含み得る。通信デバイス１２３０および１２５０は、信号を送信し符号化するために様々に構成され、逆に、指定されたＲＡＴ（たとえば、メッセージ、指示、情報、パイロットなど）に従って信号を受信し復号するために様々に構成され得る。
【００７７】
[0090]通信デバイス１２３０および１２５０は、たとえば、それぞれの１次ＲＡＴトランシーバ１２３２および１２５２などの１つまたは複数のトランシーバと、いくつかの設計では、（随意に）（たとえば、競合ＲＡＴシステム１５０によって採用されるＲＡＴに対応する）それぞれコロケートされた２次ＲＡＴトランシーバ１２３４および１２５４とを含み得る。本明細書で使用する「トランシーバ」は、送信機回路、受信機回路、またはそれらの組合せを含むが、すべての設計において送信機能と受信機能と両方を提供する必要がないことがある。たとえば、全通信を提供することが必要でないとき、コストを低減するためにいくつかの設計では低機能の受信機回路が採用され得る（たとえば、低レベルのスニッフィングのみを提供する無線チップまたは同様の回路）。さらに、本明細書で使用する「コロケートされた」という用語（たとえば、無線、アクセスポイント、トランシーバなど）は、様々な配置のうちの１つを指すことがある。たとえば、同じハウジング中にある構成要素、同じプロセッサによってホストされる構成要素、互いの定義された距離内にある構成要素、および／またはインターフェース（たとえば、イーサネット（登録商標）スイッチ）を介して接続される構成要素、ここで、インターフェースは、任意の必要な構成要素間通信（たとえば、メッセージング）のレイテンシ要件を満たす。
【００７８】
[0091]アクセスポイント１１０とアクセス端末１２０とはそれぞれ、概して、それらのそれぞれの通信デバイス１２３０および１２５０の動作を制御する（たとえば、指示する、変更する、使用可能にする、使用不能にするなど）ための（通信コントローラ１２４０および１２６０によって表される）通信コントローラをも含み得る。通信コントローラ１２４０および１２６０は、１つまたは複数のプロセッサ１２４２および１２６２と、それぞれ、プロセッサ１２４２および１２６２に結合された１つまたは複数のメモリ１２４４および１２６４とを含み得る。メモリ１２４４および１２６４は、オンボードキャッシュメモリとして、別個の構成要素、組合せなどとしてのいずれかでデータ、命令、またはそれらの組合せを記憶するように構成され得る。プロセッサ１２４２および１２６２とメモリ１２４４および１２６４は、スタンドアロン通信構成要素であり得るか、またはアクセスポイント１１０およびアクセス端末１２０のそれぞれのホストシステム機能の一部であり得る。
【００７９】
[0092]媒体アクセスマネージャ１１２と媒体アクセスマネージャ１２２とが様々な方法で実装され得ることを諒解されよう。いくつかの設計では、それに関連する機能の一部または全部は、少なくとも１つのプロセッサ（たとえば、プロセッサ１２４２のうちの１つまたは複数および／あるいはプロセッサ１２６２のうちの１つまたは複数）と少なくとも１つのメモリ（たとえば、メモリ１２４４のうちの１つまたは複数および／あるいはメモリ１２６４のうちの１つまたは複数）とによってまたは場合によってはそれらの指示で実装され得る。他の設計では、それに関連する機能の一部または全部は、一連の相互に関係する機能モジュールとして実装され得る。
【００８０】
[0093]図１３に、一連の相互に関係する機能モジュールとして表される媒体アクセスマネージャ１１２を実装するための例示的な装置を示す。図示の例では、装置１３００は、送るためのモジュール１３０２と、送るためのモジュール１３０４と、スケジュールするためのモジュール１３０６と、無音化するためのモジュール１３０８とを含む。
【００８１】
[0094]送るためのモジュール１３０２は、通信媒体上でのアップリンク送信のためのリソースの第１のセットのために第１のアクセス端末に第１のスケジューリング許可を送るように構成され得る。送るためのモジュール１３０４は、通信媒体上でのアップリンク送信のためのリソースの第２のセットのために第２のアクセス端末に第２のスケジューリング許可を送るように構成され得る。スケジュールするためのモジュール１３０６は、リソースの第１のセットおよびリソースの第２のセット内に、またはリソースの第１のセットとリソースの第２のセットの間にアクセス端末競合のための一連の再競合ギャップをスケジュールするように構成され得る。無音化するためのモジュール１３０８は、一連の再競合ギャップの各々中に通信媒体上でのアップリンクおよびダウンリンク送信を無音化するように構成され得る。
【００８２】
[0095]図１４に、一連の相互に関係する機能モジュールとして表される媒体アクセスマネージャ１２２を実装するための別の例示的な装置を示す。図示の例では、装置１４００は、受信するためのモジュール１４０２と、競合するためのモジュール１４０４と、選択的に送信するためのモジュール１４０６と、（随意の）受信するためのモジュール１４０８とを含む。
【００８３】
[0096]受信するためのモジュール１４０２は、アクセスポイントからアクセス端末において、通信媒体上でのアップリンク送信のためにアクセス端末にリソースのセットを割り振るスケジューリング許可を受信するように構成され得る。競合するためのモジュール１４０４は、アクセス端末によって、スケジューリング許可に基づいて通信媒体へのアクセスを求めて競合するように構成され得る。選択的に送信するためのモジュール１４０６は、アクセス端末からアクセスポイントに、競合することに基づいてリソースの割り振られたセットを介してアップリンクトラフィックを選択的に送信するように構成され得る。（随意の）受信するためのモジュール１４０８は、アクセスポイントからアクセス端末において、通信媒体上でのアップリンク送信のためにアクセス端末にリソースのオーバーライドセットを割り振る第２のスケジューリング許可を受信するように構成され得る。
【００８４】
[0097]図１５に、一連の相互に関係する機能モジュールとして表される媒体アクセスマネージャ１１２を実装するための別の例示的な装置を示す。図示の例では、装置１５００は、スケジュールするためのモジュール１５０２と、設定するためのモジュール１５０４と、競合するためのモジュール１５０６と、（随意の）送るためのモジュール１５０８と、（随意の）再競合するためのモジュール１５１０と、（随意の）受信するためのモジュール１５１２とを含む。
【００８５】
[0098]スケジュールするためのモジュール１５０２は、通信媒体上での送信のために複数のアクセス端末をスケジュールするように構成され得る。設定するためのモジュール１５０４は、スケジュールされているアクセス端末の数に基づいて通信媒体へのアクセスを求めて競合するようにアクセスポイントのための１つまたは複数の競合パラメータを設定するように構成され得る。競合するためのモジュール１５０６は、１つまたは複数の競合パラメータに従って通信媒体へのアクセスを求めて競合するように構成され得る。
【００８６】
[0099]（随意の）送るためのモジュール１５０８は、競合することが成功したことに応答して、通信媒体上でのアップリンク送信のためのリソースのセットのために複数のアクセス端末のうちの第１のアクセス端末に永続的または半永続的スケジューリング許可を送るように構成され得る。（随意の）再競合するためのモジュール１５１０は、第１のアクセス端末に許可されたリソースのセットのために通信媒体へのアクセスを求めて再競合するように構成され得るが、再競合することは失敗することがある。とはいえ、（随意の）受信するためのモジュール１５１２は、第１のアクセス端末に許可されたリソースのセットを介して第１のアクセス端末からアップリンクトラフィックを受信するように構成され得る。
【００８７】
[00100]図１３〜図１５のモジュールの機能は、本明細書の教示に一致する様々な方法で実装され得る。いくつかの設計では、これらのモジュールの機能は、１つまたは複数の電気的構成要素として実装され得る。いくつかの設計では、これらのブロックの機能は、１つまたは複数のプロセッサ構成要素を含む処理システムとして実装され得る。いくつかの設計では、これらのモジュールの機能は、たとえば、１つまたは複数の集積回路（たとえば、ＡＳＩＣ）の少なくとも一部分を使用して実装され得る。本明細書において論じられるように、集積回路は、プロセッサ、ソフトウェア、他の関係する構成要素、またはそれらの何らかの組合せを含み得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、機能の少なくとも一部分を２つ以上のモジュールに提供し得ることを諒解されよう。
【００８８】
[00101]さらに、図１３〜図１５によって表される構成要素および機能ならびに本明細書で説明する他の構成要素および機能は、任意の適切な手段を使用して実装され得る。そのような手段はまた、少なくとも部分的に、本明細書で教示される対応する構造を使用して実装され得る。たとえば、図１３〜図１５の構成要素「のためのモジュール」に関連して上記で説明した構成要素は、同様に指定された機能「のための手段」に対応し得る。したがって、いくつかの態様では、そのような手段のうちの１つまたは複数は、アルゴリズムとしてを含めて、本明細書で教示するプロセッサ構成要素、集積回路、または他の好適な構造のうちの１つまたは複数を使用して実装され得る。当業者なら、本開示では、アルゴリズムが上記で説明した散文で、ならびに擬似コードによって表され得る一連のアクションで表されたことを認識されよう。たとえば、図１３〜図１５によって表される構成要素および機能は、ＬＯＡＤ演算、ＣＯＭＰＡＲＥ演算、ＲＥＴＵＲＮ演算、ＩＦ−ＴＨＥＮ−ＥＬＳＥループなどを実行するためのコードを含み得る。
【００８９】
[00102]本明細書における「第１」、「第２」などの名称を使用した要素への言及は、それらの要素の数量または順序を概括的に限定するものでないことを理解されたい。むしろ、これらの名称は、本明細書において複数の要素または１つの要素の複数のインスタンスを区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【００９０】
[00103]上記の説明および説明に鑑みて、本明細書で開示する態様に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００９１】
[00104]したがって、たとえば、装置または装置の任意の構成要素は、本明細書で教示する機能を提供するように構成され得る（またはそのように動作可能であるかまたは適応され得る）ことを諒解されよう。これは、たとえば、その機能を提供するように装置または構成要素を製造する（たとえば、作製する）ことによって、その機能を提供するように装置または構成要素をプログラムすることによって、または何らかの他の好適な実装技法の使用によって、達成され得る。一例として、集積回路は、必須の機能を提供するために作製され得る。別の例として、集積回路は、必須の機能をサポートするために作製され、次いで、必須の機能を提供するように（たとえば、プログラミングによって）構成され得る。また別の例として、プロセッサ回路は、必須の機能を提供するためのコードを実行し得る。
【００９２】
[00105]さらに、本明細書で開示する態様に関して説明した方法、シーケンスおよび／またはアルゴリズムは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、電気的プログラマブル読取り専用メモリ（ＥＰＲＯＭ）、電気的消去可能プログラマブル読取り専用メモリ（ＥＥＰＲＯＭ（登録商標））、レジスタ、ハードディスク、リムーバブルディスク、ＣＤ−ＲＯＭ、または一時的にせよ非一時的にせよ当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサ（たとえば、キャッシュメモリ）に一体化され得る。
【００９３】
[00106]したがって、たとえば、本開示のいくつかの態様が、通信のための方法を実施する一時的または非一時的コンピュータ可読媒体を含むことができることも諒解されよう。
【００９４】
[00107]上記の開示は、様々な例示的な態様を示しているが、添付の特許請求の範囲によって定義された範囲から逸脱することなく様々な変更および修正が図示された例に加えられ得ることに留意されたい。本開示は、具体的に示された例のみに限定されるものではない。たとえば、別段に記載されていない限り、本明細書で説明した開示の態様による方法クレームの機能、ステップおよび／またはアクションは、特定の順序で実施されなくてもよい。さらに、いくつかの態様は、単数形で説明または請求されていることがあるが、単数形に限定することが明示的に述べられていない限り、複数形が企図される。
【図１】
2018529286.tif 000003
【図２】
2018529286.tif 000004
【図３】
2018529286.tif 000005
【図４】
2018529286.tif 000006
【図５】
2018529286.tif 000007
【図６】
2018529286.tif 000008
【図７】
2018529286.tif 000009
【図８】
2018529286.tif 000010
【図９】
2018529286.tif 000011
【図１０】
2018529286.tif 000012
【図１１】
2018529286.tif 000013
【図１２】
2018529286.tif 000014
【図１３】
2018529286.tif 000015
【図１４】
2018529286.tif 000016
【図１５】
2018529286.tif 000017
【国際調査報告】
2018529286.tif 000018
2018529286.tif 000019